(57)【要約】【課題】膣内の酸性環境を安全かつ簡便に中和することにより、妊娠の可能性を高めるために使用される装着具を提供する。【解決手段】装着具１は、性器に装着される円筒状の装着具本体２と、装着具本体２の少なくとも一部に担持され、膣内の酸性環境を中和する塩基性物質３とを有する。塩基性物質は、液体との接触により濡れ性を発現する物質であること、常温かつ乾燥状態で粉末状であることが好ましい。かかる塩基性物質は、塩基性アミノ酸類またはその塩であることがより好ましい。装着具本体２は一端部２３の精液溜り３０に破断容易部を有する。【選択図】図１
2019187726.tif 000002
【特許請求の範囲】
【請求項１】
性器に装着される装着具本体と、
該装着具本体の少なくとも一部に担持された膣内の酸性環境を中和する塩基性物質と、を有することを特徴とする装着具。
【請求項２】
前記塩基性物質は、液体との接触により濡れ性を発現する物質である請求項１に記載の装着具。
【請求項３】
前記塩基性物質は、常温かつ乾燥状態で粉末状である請求項１又は２に記載の装着具。
【請求項４】
前記塩基性物質は、塩基性アミノ酸類またはその塩である請求項１乃至３のいずれか一項に記載の装着具。
【請求項５】
前記装着具本体は、ポリウレタン又は天然ゴムラテックスを主材料として構成されている請求項１乃至４のいずれか一項に記載の装着具。
【請求項６】
前記装着具本体は、円筒状の胴部と、該胴部の閉塞された一端部と、前記胴部の全面的に開放された他端部とを有し、前記一端部に前記胴部に比較して破断し易い破断容易部が形成されている請求項１乃至５のいずれか一項に記載の装着具。
【請求項７】
前記破断容易部は、前記胴部よりも厚さを薄くして破断し易く形成されている請求項６に記載の装着具。
【請求項８】
前記破断容易部は、前記胴部よりも強度を低くして破断し易く形成されている請求項６に記載の装着具。
【請求項９】
前記破断容易部は、膣分泌液により溶解し易く形成されている請求項６に記載の装着具。
【請求項１０】
前記装着具は、男性器用であり、
前記装着具本体は、前記一端部に精液溜りを備え、該精液溜りに前記破断容易部が形成されている請求項６乃至９のいずれか一項に記載の装着具。
【請求項１１】
前記装着具本体は、円筒状の胴部と、前記胴部の小径の開口を有する一端部と、前記胴部の全面的に開放された他端部とを有する請求項１乃至５のいずれか一項に記載の装着具。
【発明の詳細な説明】
【技術分野】
【０００１】
本発明は、装着具に関する。
【背景技術】
【０００２】
精子は、弱アルカリ性の精液内で活発に活動する。しかし、健康な大人の女性の膣内は、バルトリン腺液の影響によりｐＨ３．８〜４．５の弱酸性環境となっており、精子にとっては、過酷な環境である。この酸性環境を中和して中性〜弱アルカリ性にすることにより、膣内での精子の活動を活発化させることができれば、妊娠の可能性を高めることができ、不妊症の改善を図ることができる可能性もある。
【０００３】
不妊症の改善を図る方法には、例えば、エストロゲン製剤を服用する方法（例えば、非特許文献１）や、人口頚管粘液を膣内に注入する方法等がある。
しかしながら、エストロゲン製剤の服用は、人によっては副作用が問題となることがある。一方、人口頚管粘液は、膣内への注入の仕方によっては膣内から流出して、中和作用が十分に発揮されないことがある。
【先行技術文献】
【非特許文献】
【０００４】
【非特許文献１】エストロゲン製剤の添付文書（http://database.japic.or.jp/pdf/newPINS/00045330.pdf）
【発明の概要】
【発明が解決しようとする課題】
【０００５】
本発明は、かかる問題点を解決するためになされたものであり、その目的は、膣内の酸性環境を安全かつ簡便に中和することにより、妊娠の可能性を高めるために使用される装着具を提供することにある。
【課題を解決するための手段】
【０００６】
このような目的は、下記の（１）〜（９）の本発明により達成される。
（１）  性器に装着される装着具本体と、該装着具本体の少なくとも一部に担持された膣内の酸性環境を中和する塩基性物質と、を有することを特徴とする装着具。
【０００７】
（２）  前記塩基性物質は、液体との接触により濡れ性を発現する物質である上記（１）に記載の装着具。
【０００８】
（３）  前記塩基性物質は、常温かつ乾燥状態で粉末状である上記（１）又は（２）に記載の装着具。
【０００９】
（４）  前記塩基性物質は、塩基性アミノ酸類またはその塩である上記（１）乃至（３）のいずれかに記載の装着具。
【００１０】
（５）  前記装着具本体は、ポリウレタン又は天然ゴムラテックスを主材料として構成されている上記（１）乃至（４）のいずれかに記載の装着具。
【００１１】
（６）  前記装着具本体は、円筒状の胴部と、該胴部の閉塞された一端部と、前記胴部の全面的に開放された他端部とを有し、前記一端部に前記胴部に比較して破断し易い破断容易部が形成されている上記（１）乃至（５）のいずれかに記載の装着具。
【００１２】
（７）  前記破断容易部は、前記胴部よりも厚さを薄くして破断し易くする、又は、前記胴部よりも強度を低くして破断し易くする、或は、素材を膣分泌液と接することにより溶解し易い成分を有するものにする、ことにより形成された部分である上記（６）に記載の装着具。
【００１３】
（８）  当該装着具は、男性器用であり、前記装着具本体は、前記一端部に精液溜りを備え、該精液溜りに前記破断容易部が形成されている上記（６）又は（７）に記載の装着具。
【００１４】
（９）  前記装着具本体は、円筒状の胴部と、小径の開口を有する前記胴部の一端部と、前記胴部の全面的に開放された他端部とを有する上記（１）乃至（５）のいずれかに記載の装着具。
【発明の効果】
【００１５】
本発明によれば、塩基性物質が装着具本体に担持されているため、膣内の酸性環境を十分に中和して、妊娠の可能性を高めることができる。
【図面の簡単な説明】
【００１６】
【図１】本発明の第１実施例に係る装着具を男性器用に装着した状態における装着具の斜視図である。
【図２】本発明の第２実施例に係る装着具の第１図と同様の斜視図である。
【発明を実施するための形態】
【００１７】
以下、本発明の装着具について、添付図面に示す好適実施形態に基づいて詳細に説明する。なお、以下の説明において、図１及び２の装着具の左上側を「先端」、右下側を「基端」と称する。
【００１８】
図１に示す装着具１は、男性器用であり、装着具本体２と、装着具本体２の少なくとも一部（図示の構成では、ほぼ全体）に担持された塩基性物質３とを有している。装着具本体２は、円筒状の胴部２１とその両端部２３，２４とで構成されている。装着具本体２は、先端である一端部２３が閉塞されており、該一端部２３に縮径されて形成された精液溜り３０を有している。
【００１９】
また、装着具本体２は、その基端である他端部２４に全面的に開放された開口４０を有する。この開口４０から男性器を挿入することにより、装着具１が男性器に装着される。
【００２０】
装着具本体２の構成材料としては、例えば、ポリウレタンのような樹脂材料、天然ゴムラテックスのようなゴム材料等が挙げられる。これらの材料は、１種を単独で用いてもよいし、２種以上を組み合わせて用いるようにしてもよい。
【００２１】
中でも、装着具本体２は、ポリウレタンを主材料として構成されることが好ましい。後述するように、塩基性物質３として塩基性アミノ酸を用いる場合には、ポリウレタンが窒素原子およびカルボニル基を含むことにより、塩基性アミノ酸との親和性が高くなる。このため、塩基性アミノ酸が装着具本体２から不本意な箇所で脱落することを好適に防止することができる。
【００２２】
塩基性物質３は、膣内の酸性環境を中和する機能を有する物質である。本明細書中において、「中和」とは、膣内の酸性環境を中性（ｐＨ７程度）に調整することを意味するのではなく、アルカリ性側に変化させることを意味する。したがって、塩基性物質３の作用により、膣内の酸性環境は、弱酸性から弱アルカリ性に調整されていればよく、中性〜弱アルカリ性に調整されることが好ましく、弱アルカリ性に調整されることがより好ましい。
【００２３】
かかる装着具１によれば、これを装着した男性器を膣内に挿入した状態にするだけで、膣分泌液により塩基性物質３が溶解し、膣内の酸性環境をアルカリ性側に変化させることができる。また、塩基性物質３は、服用されるわけではないので、副作用が発生する危険性が低く、装着具本体２に担持されているため、膣内からの流出もし難い。したがって、本発明によれば、極めて簡単かつ確実に膣内環境のｐＨ調整を行うことができる。
【００２４】
なお、この塩基性物質３は、装着具本体２の表面に付着させるようにしてもよいし、装着具本体２の構成材料中に混合するようにしてもよい。塩基性物質３を装着具本体２の表面に付着させる場合、塩基性物質３と水溶性ポリマー（例えば、ポリビニルアルコール等）との混合物によるコート層を装着具本体２の表面に形成してもよい。
【００２５】
塩基性物質３は、液体との接触により濡れ性を発現する物質であることが好ましい。そのような物質を装着具本体２に担持させれば、膣分泌液に塩基性物質３が接触することにより、装着具本体２の表面に濡れ性（潤滑性）が発現するため、装着具１を装着した男性器を膣内に円滑に挿入することができる。
【００２６】
また、塩基性物質３は、常温かつ乾燥状態で粉末状であることが好ましい。かかる塩基性物質３を装着具本体２に担持させれば、装着具１を丸めた状態で長期間保管する際に、装着具本体２が癒着することを防止する効果も期待できる。
【００２７】
塩基性物質３の具体例としては、例えば、アルギニン、リジン、ヒスチジンのような塩基性アミノ酸類またはその塩（アルギニンアスパラテーム）、カフェイン、テオフィリン、テオブロミンのようなメチルキサンチン類またはその水和物、スペルミンのような脂肪族アミン、アニリン、カテコールアミンのような芳香族アミン等が挙げられる。これらの物質は、１種を単独で、または２種以上を組み合わせて用いることができる。
【００２８】
中でも、塩基性物質３としては、塩基性アミノ酸類またはその塩が好ましく、アルギニンまたはその塩がより好ましい。塩基性アミノ酸類またはその塩は、生体物質であるため安全性が高い。特に、アルギニンは、精液を弱アルカリ性に維持している物質であるため、膣内の酸性環境をより迅速に中和することができる。
【００２９】
ところで、図１の本発明の第１実施例に係る装着具１では、先端（一端部２３）が閉塞されているため、精液を膣内に放出することができない。そこで、本実施形態では、この一端部２３に、胴部２１に比較して破断し易い破断容易部（図示せず）を形成した。この破断容易部が破断することにより、アルカリ性側のｐＨに調整された膣内に精液が放出されるため、精子がダメージを受け難く、子宮（卵管）に効率よく到達することができる。これにより、妊娠の可能性を高めることができる。
【００３０】
破断容易部は、装着具本体２の如何なる箇所に形成するようにしてもよいが、図１に示す男性用の装着具１の場合、先端である一端部２３の精液溜り３０に形成することが好ましい。精液溜り３０に破断容易部を形成すれば、精液は、破断容易部が破断した際に、子宮頚部近傍に放出されることになる。ここで、膣内の子宮頚部近傍では、塩基性物質３の作用と頚管粘液の作用とにより、酸性が高度に低下しているため、精子がダメージをより受け難く、より妊娠の可能性を高めることができる。
【００３１】
このような破断容易部は、精液溜り３０の、厚さを装着具本体２の胴部２１より薄くして破断し易くする、又は、強度を胴部２１より低くして破断し易くする、或は、素材を膣分泌液により溶解し易い成分を有するものにする、ことにより形成することができる。
【００３２】
例えば、精液溜り３０の厚さを胴部２１より薄く形成する場合には、例えば、精液溜り３０の厚さを胴部２１の厚さの１／２〜１／５程度とすることが好ましい。こうすることにより、精液溜り３０内の液圧の高まりに応じて精液溜り３０が破断して精液を子宮頚部近傍に放出することが可能になる。
【００３３】
また、胴部２１より精液溜り３０の強度を低く形成する場合は、例えば、精液溜り３０の先端に、常態では見えないような微細な貫通孔(穴)を例えば十文字や米印などを表す線状に沿って形成しておけばよい。こうすることにより、精液溜り３０内の液圧の高まりに応じて貫通孔同士が繋がり精液溜り３０の先端が十文字や米印などを表す線に沿って破断して精液を子宮頚部近傍に放出することが可能になる。
【００３４】
さらに、精液溜り３０を膣分泌液により溶解し易く形成する場合は、精液溜り３０の構成材料中に親水性ポリマーを混合したり、精液溜り３０の構成材料中に混合する塩基性物質３の量を胴部のそれより多くしたりすればよい。こうすることにより、精液溜り３０の表面と膣分泌液との接触時間の経過と、精液溜り３０内の液圧の高まりとに応じて精液溜り３０が破断して精液を子宮頚部近傍に放出することが可能になる。
【００３５】
以上、本発明の第１実施例に係る装着具について説明したが、本発明は、これに限定されるものではない。
【００３６】
図２には本発明の第２実施例に係る装着具１０１が示されている。装着具本体１０２は、先端の一端部１２３に閉塞部を設けず、代わりに小径の開口１５０を有し、基端である他端部１２４には全面的に開放された開口１４０を有する。この実施例にあっては先端である一端部における破断容易部の形成を省略することができる。斯かる構成により、精液は、胴部１２１に担持された塩基性物質１０３の作用と膣内頚管粘液の作用とにより酸性が高度に低下した子宮頚部近傍に放出されることになるため、精子がダメージを受けることが少ない環境で活動でき、第１実施例と同様に妊娠の可能性を高めることができる。
【００３７】
なお、本発明の装着具は、女性器用として構成することもできる。
【符号の説明】
【００３８】
１、１０１          装着具
２、１０２          装着具本体
３、１０３          塩基性物質
３０                精液溜り
４０、１４０        開口
１５０              小径の開口
【図１】
2019187726.tif 000003
【図２】
2019187726.tif 000004
【手続補正書】
【提出日】平成30年9月11日(2018.9.11)
【手続補正１】
【補正対象書類名】特許請求の範囲
【補正対象項目名】全文
【補正方法】変更
【補正の内容】
【特許請求の範囲】
【請求項１】
性器に装着される装着具本体と、
該装着具本体の少なくとも一部に担持された膣内の酸性環境を中和する塩基性物質と、を有し、
前記塩基性物質は、中和作用と同時に、液体との接触により濡れ性を発現する単一物質であることを特徴とする装着具。
【請求項２】
前記塩基性物質は、常温かつ乾燥状態で粉末状である請求項１又は２に記載の装着具。
【請求項３】
前記塩基性物質は、塩基性アミノ酸類またはその塩である請求項１又は２に記載の装着具。
【請求項４】
前記装着具本体は、ポリウレタン又は天然ゴムラテックスを主材料として構成されている請求項１乃至３のいずれか一項に記載の装着具。
【請求項５】
前記装着具本体は、円筒状の胴部と、該胴部の閉塞された一端部と、前記胴部の全面的に開放された他端部とを有し、前記一端部に前記胴部に比較して破断し易い破断容易部が形成されている請求項１乃至５のいずれか一項に記載の装着具。
【請求項６】
前記破断容易部は、前記胴部よりも厚さを薄くして破断し易く形成されている請求項５に記載の装着具。
【請求項７】
前記破断容易部は、前記胴部よりも強度を低くして破断し易く形成されている請求項５に記載の装着具。
【請求項８】
前記破断容易部は、膣分泌液により溶解し易く形成されている請求項５に記載の装着具。
【請求項９】
前記装着具は、男性器用であり、
前記装着具本体は、前記一端部に精液溜りを備え、該精液溜りに前記破断容易部が形成されている請求項５乃至８のいずれか一項に記載の装着具。
【請求項１０】
前記装着具本体は、円筒状の胴部と、前記胴部の小径の開口を有する一端部と、前記胴部の全面的に開放された他端部とを有する請求項１乃至４のいずれか一項に記載の装着具。
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
性器に装着される装着具本体と、
該装着具本体の少なくとも一部に担持された膣内の酸性環境を中和する塩基性物質と、を有し、
前記塩基性物質は、同時に液体との接触により濡れ性を発現する単一物質であり、
前記装着具本体は、一端部に精液放出部が形成されていることを特徴とする装着具。
【請求項２】
前記精液放出部は、前記装着具本体の閉塞された前記一端部に形成された破断容易部により構成される請求項１に記載の装着具。
【請求項３】
前記装着具本体は、前記一端部に精液溜りを備え、前記破断容易部は該精液溜りに形成されている請求項２に記載の装着具。
【請求項４】
前記精液放出部は、前記装着具本体の前記一端部に形成された開口により構成される請求項１に記載の装着具。